(57)【特許請求の範囲】
【請求項１】
上方付勢状態で押込み可能にステム２を起立したポンプに装着する押下ヘッドであって、ステム２に嵌着した装着筒７上に、ステム２内と連通し且つ先端に噴出口８を開口した弁室Ａを備えてなる本体３と、弁室Ａ後部周面に後部外周を摺動可能に嵌合させるとともに、前方付勢状態で噴出口８を閉塞し、且つ、ステム２内と連通する連絡口14より噴出口８に至る流路を画成してなる弁部材４と、弁室Ａより突出した弁部材４の後端部に垂直板部21の下端部を連係させるとともに、垂直板部21上端より前方本体３上方へ延びる傾斜板部22を延設し、且つ、屈折部位に於いて回動可能に本体３に連結して揺動可能に設けた梃部材５と、本体３及び梃部材５を液の噴出が可能に被覆し且つそれらと相対的な押し下げが可能に嵌着したカバー６とを備え、カバー６の押し下げにより梃部材５上部を押し下げて弁部材４が後退し、噴出口８が開口する如く構成し、上記弁部材４が、外周より後方へ延設したスカート状部17後端縁より前方へ折り返した逆スカート状部18を延設するとともに、逆スカート状部18外周縁を弁室Ａ内周後部に摺動可能に嵌合させ、スカート状部17の分岐部分と弁室Ａを形成する横筒後壁前面とにコイルスプリング20を介在させて弁部材４を前方付勢させてなることを特徴とするポンプの押下ヘッド。
【請求項２】
上記梃部材５の傾斜板部22より下方へ、下端を本体上面へ当接係止した弁板26を一体に設けてなる請求項１記載のポンプの押下ヘッド。
【発明の詳細な説明】
【０００１】
【発明の属する技術分野】
本発明はポンプの押下ヘッドに関し、詳しくは、液噴出後の液切れが良く、ヘッド内での液詰まり等がなく、しかも長期間の使用にも一貫して同様の作用を継続でき、耐久性に優れたポンプの押下ヘッドに関する。
【０００２】
【従来の技術】
ポンプの押下ヘッドとして、上方付勢状態で押し込み可能に突設したステムの上端に嵌着して使用するものが知られている。これらは押し込みにより装着した容器体内の液をステムを介して噴出口より噴出する如く構成したものであり、一般的な押下ヘッドでは、ステムに嵌着させる縦筒と、該縦筒上部に基端を開口して先端の噴出口に連通する横筒とを備えている。また、この様な単純構成のものを改良し、噴出口を閉塞するように弾性体で付勢された弁部材を備え、押下時に噴出口が開放状態となる如く構成したものも提案されている（特開平９−１５５２５４号公報）。
【０００３】
この押下ヘッドは、ポンプのステムに嵌着して使用されるもので、下端を開口した有頂筒状のカバー内に於いて、ステムに嵌着した装着筒上端にステム内と連通する横筒を延設し、横筒内にコイルスプリングにより前方付勢された弁部材を配置し、その先端を周壁前面に開口した噴出口に圧接して閉塞している。また、頂壁裏面より周壁と同心円状に垂設したスカート部の後部上部には、横筒後部より突出する弁部材後端部を挟持するかたちで舌片を弾性揺動可能に画成しており、舌片内面下部には突起を突設している。そして、ヘッドを押し下げた際に、突起がポンプの後部周縁部上面に当接して舌片の上部が後方へ弾性的に傾斜変形され、それに伴って弁部材が後方へ移行し、噴出口が開口する如く構成している。
【０００４】
【発明が解決しようとする課題】
上記従来のヘッドは、非使用時に噴出口を常時閉塞しているため、その内部の収納液が固化したりする不都合がないものであるが、弁部材の操作を上記した如きヘッドに設けた舌片とポンプの一部とで構成しているため、ヘッド自体及び装着するポンプの形態に制限が著しく、汎用性に乏しいという問題点がある。
【０００５】
本発明は上記した点に鑑みなされたもので、常時安定した液の噴出を行えるとともに、液切れが良く、噴出口の密閉性にも優れ、どの様なポンプに対しても使用可能で、且つ長期の使用にも充分安定した液の噴出を行える優れたポンプの噴出ヘッドを提案するものである。
【０００６】
【課題を解決するための手段】
第１の手段として、以下の通り構成した。即ち、上方付勢状態で押込み可能にステム２を起立したポンプに装着する押下ヘッドであって、ステム２に嵌着した装着筒７上に、ステム２内と連通し且つ先端に噴出口８を開口した弁室Ａを備えてなる本体３と、弁室Ａ後部周面に後部外周を摺動可能に嵌合させるとともに、前方付勢状態で噴出口８を閉塞し、且つ、ステム２内と連通する連絡口14より噴出口８に至る流路を画成してなる弁部材４と、弁室Ａより突出した弁部材４の後端部に垂直板部21の下端部を連係させるとともに、垂直板部21上端より前方本体３上方へ延びる傾斜板部22を延設し、且つ、屈折部位に於いて回動可能に本体３に連結して揺動可能に設けた梃部材５と、本体３及び梃部材５を液の噴出が可能に被覆し且つそれらと相対的な押し下げが可能に嵌着したカバー６とを備え、カバー６の押し下げにより梃部材５上部を押し下げて弁部材４が後退し、噴出口８が開口する如く構成した。
【０００７】
第２の手段として、以下の通り構成した。即ち、前記第１の手段に於いて、上記弁部材４が、外周より後方へ延設したスカート状部17後端縁より前方へ折り返した逆スカート状部18を延設するとともに、逆スカート状部18外周縁を弁室Ａ内周後部に摺動可能に嵌合させ、スカート状部17の分岐部分と弁室Ａを形成する横筒後壁前面とにコイルスプリング20を介在させて弁部材４を前方付勢させてなる弁部材である如く構成した。
【０００８】
第３の手段として、以下の通り構成した。即ち、前記第１の手段に於いて、上記梃部材５の傾斜板部22より下方へ、下端を本体上面へ当接係止した弁板26を一体に設けた。
【０００９】
【発明の実施の形態】
以下、本発明の実施例の形態を図面を参照して説明する。
【００１０】
本発明の押下ヘッド１は、ポンプのステム２上端に嵌着して使用する。装着するポンプの形態は、ステムを押し下げることよりポンプ内の液がステムより噴出する如く構成したものであれば採用でき、例えば、シリンダとピストンとを備えた一般的なポンプ構造を備えたもの、或いはエアゾールタイプのもの等を採用できる。
【００１１】
本発明に於ける押下ヘッド１は、本体３と、弁部材４と、梃部材５と、カバー６とを備えている。
【００１２】
本体３は、ステム２に嵌着した装着筒７上に、ステム２内と連通し且つ先端に噴出口８を開口した弁室Ａを備えている。図示例ではステム２外周上端に密嵌させた装着筒７を円板状の基板９下面中央より垂設するとともに、基板９上に前端開口の横筒10を一体に形成し、該横筒10内に嵌着させたノズル筒11とで弁室Ａを形成している。
【００１３】
横筒10は、基板９上の中央前端部より後部に隙間をあけて延設した前端開口の円筒状をなし、底部を基板９と共有しており、その後壁10a 中央には弁部材４の後部を突出させるための窓孔12を穿設している。ノズル筒11は、前部を突出して後部を横筒10内に密嵌した筒状をなし、突出した前端部をテーパ状に窄めて噴出口８に形成するとともに、内周面の前後方向中央部に後向段部を形成してその後方の内周面をシリンダ部13に形成し、後向段部の前方の内周面には周方向複数の案内リブを突設している。更に、基板９の中央部及びノズル筒11の後部中央を貫通する連絡口14を設けてステム２内と弁室Ａ内とを連通させている。また、横筒10の後部両側より梃部材５を軸着させるための一対の軸受15を一体に立設するとともに、基板９の外周縁部より下方へ案内筒16を垂設している。
【００１４】
弁部材４は、弁室Ａの後部周面に後部外周を摺動可能に嵌合させるとともに、前方付勢状態で先端部により噴出口８を閉塞している。図示例では、横棒状をなし、先端を噴出口８に圧接するとともに、後端を窓孔12より突出させ、また、外周前後方向中間部より後方へスカート状部17を延設するとともに、スカート状部17後端縁より折り返した逆スカート状部18の外周縁を連絡口14後方のシリンダ部13内周に摺動可能に嵌合させている。これにより、ステム２内から連絡口14を介して噴出口８に至る流路を画成している。更に、後端部を窓孔12より突設し、突出部分に梃部材連係用の環状凹部19を凹設している
【００１５】
弁部材４の前方付勢の方法としては種々の形態を採ることができる。図示例では横筒10の後壁10a 前面と、スカート状部17の分岐部分とに介在させたコイルスプリング20により行っているが、これに限られず、例えば板バネ等の他の弾性部材を使用して行うこともできる。
【００１６】
梃部材５は、弁室Ａより突出した弁部材４の後端部に垂直板部21の下端部を連係させるとともに、垂直板部21上端より前方本体上方へ延びる傾斜板部22を延設し、且つ、屈折部位に於いて回動可能に本体に連結して揺動可能に設けている。
【００１７】
図示例では、屈折部分両側からそれぞれ突設した枢着軸23を本体３の各軸受15の軸受凹部15a に回動可能に嵌合させて揺動可能に装着している。また、垂直板部21の下端部に穿設した切溝24を弁部材４の環状凹部19に嵌合させて弁部材４と連係している。切溝24は、垂直板部21後面下端部に形成した凹部25内に下端を開口して穿設した縦長のもので、垂直板部21の下端部が後方へ回動した際に弁部材４後部が外れない様に構成している。
【００１８】
また、梃部材５の傾斜板部22より下方へ、下端を本体３上面へ当接係止した弁板26を一体に設けている。図１の実施例では、傾斜板部22の前部両側よりそれぞれ下方へ、下端縁を本体３の基板９上面に当接係止した弁板26を垂設している。この弁板26を設けることにより、押し下げた梃部材５をより確実にもとに戻すことができる如く構成している。尚、弁板26は図１の実施例のものに限らず種々の形態を採用できるが、例えば図２に示す如く、傾斜板部22前部裏面より突設して本体３の横筒10上面に下端を当接係止する如く構成したものであっても良い。
【００１９】
カバー６は、本体３及び梃部材５を液の噴出が可能に被覆してそれらと相対的な押し下げが可能に嵌着しており、カバーの押し下げにより梃部材上部を押し下げて弁部材４が後退し、噴出口８が開口する如く構成している。図示例では、周壁27上端縁より頂壁28を延設した下端開口の円筒状をなし、案内筒16の外周に押し下げが可能に周壁27内周下部を遊嵌させている。また、周壁27の前部には、その下端から上部に至る帯状の切欠部29を設けて、この切欠部29からノズル筒11の先端部を突出する如く構成している。更に、頂壁28前部裏面より突設した押圧突起30を梃部材５の上面先端部に当接させている。
【００２０】
上記の如く構成した押下ヘッド１は、図１の状態からカバー６を押し下げると、押圧突起30が梃部材５の上面を押し下げるとともに、梃部材５の垂直板部21が後方へ回動して弁部材４をコイルスプリング20の弾発力及び弁板26がある場合にはその弾発力に抗して後方へ移行させ、噴出口８が開く。一方、梃部材５の回動に遅れて本体３はステム２を押し下げ、該ステムの押し下げによりポンプ内の液をステム２より噴出し、連絡口14から流路を介して噴出口８より外部へ噴出する。次いでカバー６の押圧を解除すると、ステム２の上方付勢力によりヘッドは上昇するとともに、コイルスプリング20の弾発力（弁板26があればその弾発力を加えて）により弁部材４が前方へ移行して噴出口８を閉塞し、それに伴い垂直板部21が前方へ回動するとともに傾斜板部22が上方へ回動してカバー６を押し上げ、元の状態に戻る。
【００２１】
尚、上記各部材は主として合成樹脂により形成され、必要に応じて金属，エラストマー等を併用して形成することができる。
【００２２】
【発明の効果】
以上説明した如く本発明の押下ヘッドは、液噴出後の液切れが良く、ヘッド内での固化或いは液詰まり等の虞が無く、しかも長期に亘って常時安定した操作を行えるものである。
【００２３】
また、第２の手段の押下ヘッドでは、弁部材の摺動部分が上下方向の撓みに対して安定な前後の摺動を行えるものであり、梃部材により弁部材を後方へ移行させる際に若干上下方向の変移があっても対応して充分な気密性を保持することができるものである。
【００２４】
また、第３の手段の押下ヘッドでは、梃部材の復元操作を弁部材の弾性復元力以外に弁板により補助できるため、押し下げた梃部材を更に確実に元の状態に戻すことができ、ひいてはカバーを確実にもとの状態に戻すことができ、より円滑な噴出操作を行えるものである。
【図面の簡単な説明】
【図１】本発明の一実施例を示す縦断面図である。
【図２】本発明の他の実施例を示す要部縦断面図である。
【符号の説明】
２…ステム，３…本体，４…弁部材，５…梃部材，６…カバー，
７装着筒，８…噴出口，14…連絡口，17…スカート状部，
18…逆スカート状部，21…垂直板部，22…傾斜板部，26…弁板
【図１】
0004278878.tif 000002
【図２】
0004278878.tif 000003